(57)【要約】【課題】撮影画像方向へ向かって移動する移動体の動き情報に基づいてシャッター動作を制御し、ミスのない撮影を行うことが可能なカメラ付き携帯機器を提供する。【解決手段】カメラ付き携帯機器１は、主撮影画像を取得する主撮像部２１と、主撮影画面の周囲画像である周囲撮影画像を取得する周囲撮像部２２と、主撮像部２１による画像取得と周囲撮像部２２による画像取得との切り替えを行う切り替え部２３と、周囲撮影画像を一時的に格納する一時格納部２４と、一時格納部２４に格納された最新の画像とその直前に保存された撮影画像との比較により、周囲撮影画像内から主撮影画像の方向へ向かって移動する移動体１１を検出し、周囲動き情報を出力する画像比較部２５と、周囲動き情報に基づいてシャッター動作を制御するシャッター制御部２６を備える。【選択図】図２
2008104070.tif 000002
【特許請求の範囲】
【請求項１】
主撮影画像を取得する主撮像部と、前記主撮影画像の周囲画像である周囲撮影画像を取得する周囲撮像部と、前記周囲撮影画像を一時的に格納する一時格納部と、前記一時格納部に格納された最新の画像とその直前に保存された撮影画像との比較により、前記周囲撮影画像内から前記主撮影画像の方向へ向かって移動する移動体を検出し、周囲動き情報を出力する画像比較部と、前記周囲動き情報に基づいてシャッター動作を制御するシャッター制御部と、を備えるカメラ付き携帯機器。
【請求項２】
前記主撮像部と前記周囲撮像部は単一の光電変換部から構成されていることを特徴とする請求項１に記載のカメラ付き携帯機器。
【請求項３】
前記主撮像部と前記周囲撮像部は複数の光電変換部から構成されていることを特徴とする請求項１に記載のカメラ付き携帯機器。
【請求項４】
前記周囲撮像部の光電変換部は前記主撮像部の光電変換部より低い解像度を有していることを特徴とする請求項３に記載のカメラ付き携帯機器。
【請求項５】
前記周囲動き情報はハーフシャッター時に前記周囲撮像部において所定の時間差をもって取得され、前記一時格納部に記憶された少なくとも２つの周囲撮影画像の差分に基づいて決定される前記周囲撮影画像内から前記主撮影画像の方向へ向かって移動する移動体を特定する情報である請求項１から４のいずれか一項に記載のカメラ付き携帯機器。
【請求項６】
セルフタイマー撮影時に、前記周囲動き情報に基づいてセルフタイマーを一時的に停止し、前記移動体の前記周囲撮影画像内から前記主撮影画像から遠ざかる方向への移動の検出に基づきセルフタイマーを再開することを特徴とする請求項１から４のいずれか一項に記載のカメラ付き携帯機器。
【請求項７】
長時間露光撮影時に、前記周囲動き情報に基づいて開放しているシャッターを一時的に閉じ、前記移動体の前記周囲撮影画像内から前記主撮影画像から遠ざかる方向への移動の検出に基づきシャッターの開放を再開することを特徴とする請求項１から４のいずれか一項に記載のカメラ付き携帯機器。
【請求項８】
主撮影画像を取得する主撮像機能と、前記主撮影画像の周囲画像である周囲撮影画像を取得する周囲撮像機能と、前記周囲撮影画像を一時的に格納する一時格納機能と、前記一時格納機能に格納された最新の画像とその直前に保存された撮影画像との比較により、前記周囲撮影画像内から前記主撮影画像の方向へ向かって移動する移動体を検出し周囲動き情報を出力する画像比較機能と、前記周囲動き情報に基づいてシャッター動作を制御するシャッター制御機能と、を備えたカメラ付き携帯機器用プログラム。
【発明の詳細な説明】
【技術分野】
【０００１】
本発明は、撮影画像方向へ向かって移動する移動体の動き情報に基づいてシャッター動作を制御するカメラ付き携帯機器とそのようなカメラ付き携帯機器のためのプログラムに関する。
【背景技術】
【０００２】
従来からカメラでの撮影をする際、例えば、撮影者が所望する光景をファインダに映した状態でレリーズボタンを押し、シャッターを切った瞬間に撮影画面外から移動体が現れて撮影画像に写ってしまうということが多々ある。そのような場合には、撮影のやり直しやデータを削除する操作が必要となり、撮影に手間がかかってしまう。従来技術として、セッティング位置に置かれたカメラのリモコン子機を使用することなく集合写真撮影等を行う遠隔写真撮影において、予め撮影者がカメラのメモリに特定パターンを記録させておき（例えば、手を振る等）、撮影者がカメラの撮影フレーム内に入って記録しておいた特定パターン（手を振る画像）を行い、その特定パターンとサンプリングパターン（撮影したい画像）を比較して一致すればシャッターを切ることができるカメラ用遠隔装置が知られている（例えば、特許文献１参照）。
【０００３】
また、被写界（撮影画像内）を周辺領域と中央領域に分け、被写体が周辺領域と中央領域の占める割合を比較し、その割合に基づき撮影モードを決定するカメラが知られている。このカメラでは、例えば、周辺領域と中央領域の被写体が占める割合の差が大きい場合、被写体は移動体であると認識し、撮影条件をスポーツモード（絞り：開放、露光時間：短縮）撮影用に切り替える技術も知られている（例えば、特許文献２参照）。しかしながら、このような技術を使用する場合でさえも撮影画面外から飛び込んでくる移動体を避けて撮影することは困難である。
【０００４】
【特許文献１】特開平１１−３５５６４０号公報（段落番号００２０等）
【特許文献２】特開２００３−３１９２４１号公報（段落番号０００７〜０００８等）
【発明の開示】
【発明が解決しようとする課題】
【０００５】
本発明の目的は、対象としている被写体に近づいてくる物体の動きに基づいてシャッター動作を制御する技術を提供することにある。
【課題を解決するための手段】
【０００６】
上記目的を達成するための本発明に係る、カメラ付き携帯機器の特徴は、主撮影画像を取得する主撮像部と、前記主撮影画面の周囲画像である周囲撮影画像を取得する周囲撮像部と、前記周囲撮影画像を一時的に格納する一時格納部と、前記一時格納部に格納された最新の画像とその直前に保存された撮影画像との比較により、前記周囲撮影画像内から前記主撮影画像の方向へ向かって移動する移動体を検出し、周囲動き情報を出力する画像比較部と、前記周囲動き情報に基づいてシャッター動作を制御するシャッター制御部と、を備える点にある。
【０００７】
この構成によれば、撮影者がこのカメラ付き携帯機器を使用して撮影する際、所定の撮影範囲外から撮影範囲内に近づいてくる移動体があれば、シャッターを切ることを中止することが可能となり、人ごみで撮影する場合のミスや、そのミスによる取り直しやデータの削除をする操作を不要とすることができる。
【０００８】
また、前記カメラ付き携帯機器は、前記主撮像部と前記周囲撮像部が単一の光電変換部から構成されていると好適である。
【０００９】
この構成によれば、主撮像部と周囲撮像部の光電変換部を一枚の光電変換素子から構成することから部品点数の削減ができ、製造工程を容易とすることが可能となる。
【００１０】
また、前記カメラ付き携帯機器は、前記主撮像部と前記周囲撮像部が複数の光電変換部から構成することも可能である。その際、前記カメラ付き携帯機器は、前記周囲撮像部の光電変換部が前記主撮像部の光電変換部より低い解像度を有している構成とすると好適である。このような構成とすれば、高解像度撮影を行うために主撮像部の光電変換素子を高い解像度のもので構成する場合においても、周囲撮像部では低い解像度の光電変換素子を使用することができ、製造コストを低減させることが可能となる。
【００１１】
また、前記カメラ付き携帯機器は、前記周囲動き情報がハーフシャッター時に前記周囲撮像部において所定の時間差をもって取得され、前記一時格納部に記憶された少なくとも２つの周囲撮影画面の差分に基づいて決定される前記周囲撮影画像内から前記主撮影画像の方向へ向かって移動する移動体を特定する情報であると好適である。
【００１２】
この構成とすれば、所定の撮影範囲外で移動する移動体が、主撮影画像の方向に向かって移動するか否かを特定し、その移動体が撮影の邪魔になると判定された場合にはシャッターを切ることを中止するという処理を一連のシャッター操作の流れの中で行うことができる。
【００１３】
また、前記カメラ付き携帯機器は、セルフタイマー撮影時に、前記周囲動き情報に基づいてセルフタイマーを一時的に停止し、前記移動体の前記周囲撮影画像内から前記主撮影画像から遠ざかる方向への移動の検出に基づいてセルフタイマーを再開する構成とすると好適である。
【００１４】
この構成とすれば、セルフタイマー撮影時のセルフタイマー動作中に所定の撮影範囲外に存在する移動体が、セルフタイマー動作完了後のシャッターを切った際に撮影範囲内に存在していることで、撮影画像に移動体が写ってしまうという撮影ミスを防止することができる。したがって、そのようなミスによる取り直しやデータの削除をする操作が回避される。
【００１５】
また、前記カメラ付き携帯機器は、長時間露光撮影時に、前記周囲動き情報に基づいて開放しているシャッターを一時的に閉じ、前記移動体の前記周囲撮影画像内から前記主撮影画像から遠ざかる方向への移動の検出に基づいてシャッターの開放を再開する構成とすると好適である。
【００１６】
この構成とすれば、長時間露光撮影時のシャッターの開放中に所定の撮影範囲外の移動体が主撮影画像の方向へ向かって移動する場合には予めシャッターを自動的に閉じ、一方、主撮影画像から遠ざかる方向へ移動する場合にはシャッターの開放を自動的に再開することができるので、不測の物体に邪魔されない長時間露光撮影が可能となる。
【００１７】
また、本発明は、主撮影画像を取得する主撮影機能と、前記主撮影画像の周囲画像である周囲撮影画像を取得する周囲撮影機能と、前記周囲撮影画像を一時的に格納する一時格納機能と、前記一時格納機能に格納された最新の画像とその直前に保存された撮影画像との比較により、前記周囲撮影画像内から前記主撮影画像の方向へ向かって移動する移動体を検出し周囲動き情報を出力する画像比較機能と、前記周囲動き情報に基づいてシャッター動作を制御するシャッター制御機能と、をコンピュータに実行させることができる。このように構成されたカメラ付き携帯機器用プログラムも上述した本発明の対象としてのカメラ付き携帯機器と比べて、実質的な特徴構成には相違はなく、上述した作用効果を得ることが可能である。
【発明を実施するための最良の形態】
【００１８】
以下、本発明の実施例を図面に基づいて説明する。
本発明の第一の実施形態
本発明に係る、カメラ付き携帯機器の一例として、図１（a）のようなデジタルカメラを用いて説明する。デジタルカメラ１は、前面には被写体を撮影するための撮影レンズ２を備え、背面には被写体を特定するためにファインダとして機能し、更には撮影した撮影画像を表示するモニタ３を備える。更に、上面には被写体を撮影する際にシャッターを開放するレリーズボタン４と、電源制御用の電源スイッチ５を備えている。また、詳細は後述するが、このデジタルカメラ１は、所定の撮影範囲外の移動体の存在と動く方向とを検知して撮影可能か否かを判断する機能を備えている。この判断に基づき、撮影者に撮影可能状態を知らせる撮影可能ランプ６と、撮影不可能状態を知らせる撮影不可能ランプ７とを背面に備えるとともに、セルフタイマー撮影を開始させるセルフタイマーボタン８と、長時間露光撮影を開始させる長時間露光撮影開始ボタン９と、長時間露光撮影を終了させる長時間露光撮影終了ボタン１０とを備えている。このデジタルカメラ１は、図１（ｂ）のように中央部に被写体撮影画像である主撮影画像を映すための主撮影画面を形成し、その周囲に主撮影画像の周囲画像である周囲撮影画像を映すための周囲撮影画面を形成する。
【００１９】
このデジタルカメラ１は、ＣＰＵを中核部材として撮影画像を取得する種々の動作を行うための機能部をハードウェア又はソフトウェア或いはその両方で構築されている。図２は本発明の第一実施形態に係る、デジタルカメラ１の構成を模式的に示すブロック図である。デジタルカメラ１は、主撮影画面に映し出される主撮影画像を取得する主撮像部２１と、周囲撮影画面に映し出される周囲撮影画像を取得する周囲撮像部２２とを備えている。この主撮像部２１と周囲撮像部２２は、光電変換部３２が備える光電変換素子から画像が得られる。ここで、本実施形態では、主撮像部２１で使用される光電変換素子と周囲撮像部２２で使用される光電変換素子とは１枚の光電変換素子から構成されているものとする。
【００２０】
主撮像部２１による画像取得と周囲撮像部２２による画像取得との切り替えは、切り替え部２３により行われる。切り替えられた方の撮像部により取得された撮影画像は画像生成部２７に送られるが、ファインダに映し出される、いわゆるスルー画像としては主撮像部２１で取得された画像がモニタ３に映し出される。
【００２１】
一方、周囲撮影画像は画像生成部２７で画像データ化され、一時格納部コントローラ２８を介して一時格納部２４に格納される。この格納される画像データは、現在、周囲撮影画面に映し出されている画像の直前に取得された画像の画像データが格納されることとなる。画像比較部２５は一時格納部２４に格納されている画像データと最新の周囲撮影画像の画像データとを比較する。その比較により、周囲撮影画像内から主撮影画像内へ向かって移動する移動体１１の検出を行い、周囲動き情報としてシャッター制御部２６に出力する。ここで、レリーズボタン４が押された際、この周囲動き情報において、図３（ａ）のように所定の周囲撮影画像内に主撮影画面の方向へ移動する移動体１１がなければ、シャッター制御部２６はシャッター２９を切る。したがって、主撮像部２１で取得され、画像生成部２７で変換された画像データが記録部コントローラ３０を介して記録部３１に記録される。一方、周囲動き情報において、図３（ｂ）に示されるように周囲撮影画像内に主撮影画面の方向へ移動する移動体１１があれば、シャッター制御部２６はシャッター２９を切らないため、撮影画像は記録されないこととなる。ここで、本発明では特に区別する必要がない限り、被写体撮影によって各段階で得られる撮影画像や画像データを「撮影画像」という語句で総称する。
【００２２】
次に、本実施形態についてフローチャートを使用して説明する。図４は移動体１１の動き情報を取得するためのフローチャートである。デジタルカメラ１の電源スイッチ５がオンされ撮影状態におかれると、画像比較部２５は最新の周囲撮影画像と一時格納部２４に格納されている直前の周囲撮影画像とを比較する。比較結果から周囲撮影画面内に移動体１１が存在すれば（ステップ＃０１：Ｙｅｓ）、その移動体の移動方向の検出を行う（ステップ＃０２）。この移動方向の検出は、例えば、上述のとおり最新の周囲撮影画像と一時格納部２４に格納されている直前の周囲撮影画像との差分に基づいて行うことができる。具体的手法としては、詳細は省略するが公知技術であるオプティカルフロー技術を利用することにより２フレーム間の移動体１１の速度ベクトルを求め、この速度ベクトルを読み取ることにより移動体１１の運動の向きを知ることができる。移動体１１が周囲撮影画像内から主撮影画像の方向へ向かって移動する場合は（ステップ＃０３：Ｙｅｓ）、動き情報フラグを１にし（ステップ＃０４）、周囲撮影画像に移動体が存在するが主撮影画像方向へ向かう移動ではない場合には（ステップ＃０３：Ｎｏ）、動き情報フラグを２にする（ステップ＃０５）。一方、周囲撮影画面内に移動体１１が存在しない場合（ステップ＃０１：Ｎｏ）には、動き情報フラグを０にする（ステップ＃０６）。電源スイッチ５がオフにされると（ステップ＃０７：Ｙｅｓ）処理を終了するが、オフにされなければ（ステップ＃０７：Ｎｏ）、ステップ＃０１に戻り、オフにされるまで継続して動き情報フラグの更新が行われる。また、この動き情報フラグの更新は後述する撮影を行う際も並行して行われる。
【００２３】
図５は動き情報フラグを使用して撮影を行った場合におけるフローチャートである。撮影者は撮影を行うためにモニタ３に映し出される主撮影画面内に被写体をいれる（ステップ＃１１）。被写体が主撮影画面内に入ればレリーズボタン４を押す（ステップ＃１２）。画像比較部２５で得られた動き情報フラグが１でない（すなわち、移動体が周囲撮影画像内から主撮影画像の方向へ向かって移動しない場合）場合（ステップ＃１３：Ｎｏ）、撮影者に撮影可能状態であることを知らせるために撮影可能ランプ６を点灯し（ステップ＃１４）、シャッター制御部２６によりシャッター２９が切られ、主撮影画像が記録部３１に記録される（ステップ＃１５）。一方、画像比較部２５で得られた動き情報フラグが１（すなわち、周囲撮影画像から主撮影画像へ向かって移動する移動体１１が存在する場合）の場合（ステップ＃１３：Ｙｅｓ）、撮影者に撮影不可能状態であることを知らせるために撮影不可能ランプ７を点灯し（ステップ＃１６）、シャッター制御部２６はシャッター２９を切らないため、主撮影画像は記録部３１に記録されることなく処理を終了する。したがって、移動体１１が撮影画面に写ることを防ぐことができるため、撮影者は所望の撮影を行うことが可能となる。
【００２４】
本実施形態に係る改良実施形態として、撮影不可能状態の場合に撮影可能な状態に変わった時点で自動的にシャッター２９が切られる構成とすることも好適である。この場合におけるフローチャートを図６に示す。第一の実施形態と同様、撮影者は撮影を行うためにモニタ３に映し出される主撮影画面内に被写体をいれる（ステップ＃２１）。被写体が主撮影画面内に入ればレリーズボタン４を押す（ステップ＃２２）。画像比較部２５で得られた動き情報フラグが１でないなら（ステップ＃２３：Ｎｏ）、撮影者に撮影可能状態であることを知らせるために撮影可能ランプ６を点灯し（ステップ＃２４）、シャッター制御部２６によりシャッター２９が切られ、主撮影画像を記録部３１に記録し（ステップ＃２５）、処理を終了する。一方、画像比較部２５で得られた動き情報フラグが１であれば（ステップ＃２３：Ｙｅｓ）、撮影者に撮影不可能状態であることを知らせるために撮影不可能ランプ７を点灯し（ステップ＃２６）、ステップ２３に戻り、動き情報フラグが１以外になるまで撮影が保留される。その後、動き情報フラグが１以外になれば（ステップ＃２３：Ｎｏ）、撮影者に撮影可能状態であることを知らせるために撮影可能ランプ６を点灯し（ステップ＃２４）、シャッター制御部２６はシャッター２９を切り、主撮影画像が記録部３１に記録される（ステップ＃２５）。
【００２５】
本実施形態に係るもう一つの改良実施形態として、レリーズボタン４を半押し（ハーフシャッター）することにより、撮影可能状態か否かを撮影者に知らせ、これに基づき撮影者がレリーズボタン４を少なくとも半押しより深く押すとシャッター２９が切られる構成とすることも好適である。この場合におけるフローチャートを図７に示す。第一の実施形態と同様、撮影者は撮影を行うためにモニタ３に映し出される主撮影画面内に被写体をいれる（ステップ＃３１）。被写体が主撮影画面内に入れば、レリーズボタン４を半押しする（ステップ＃３２）。ここで、画像比較部２５で得られた動き情報フラグが１でないなら（ステップ＃３３：Ｎｏ）、撮影者に撮影可能状態であることを知らせるために撮影可能ランプ６を点灯する（ステップ＃３４）。この撮影可能ランプ６の点灯に基づき撮影者がレリーズボタン４を少なくとも半押しより深く押すと（ステップ＃３５）、シャッター制御部２６によりシャッター２９が切られ、主撮影画像を記録部３１に記録し（ステップ＃３６）、処理を終了する。一方、画像比較部２５で得られた動き情報フラグが１であれば（ステップ＃３３：Ｙｅｓ）、撮影者に撮影不可能状態であることを知らせるために撮影不可能ランプ７を点灯し（ステップ＃３７）、ステップ３２に戻り処理が継続される。その後、動き情報フラグが１でなくなれば（ステップ＃３３：Ｎｏ）、撮影者に撮影可能状態であることを知らせるために撮影可能ランプ６を点灯し（ステップ＃３４）、撮影者がレリーズボタン４を少なくとも半押しより深く押すと（ステップ＃３５）、シャッター制御部２６はシャッター２９を切り、主撮影画像は記録部３１に記録される（ステップ＃３６）。
【００２６】
本発明の第二の実施形態
第二の実施形態として、集合写真撮影等で使用されるセルフタイマー機能と本発明の周囲撮影画像の動き情報の検出を組み合わせた構成とすることも好適である。この構成とすればセルフタイマー撮影をする場合、図８（ａ）のように撮影者がファインダで被写体をとらえ、図８（ｂ）のように被写体の列に加わった後、移動体１１の撮影画面内への割り込みを事前に検知し、自動的にセルフタイマーを一時停止することができる。そして、図８（ｃ）のように撮影画像内に移動体１１が入る可能性が低くなった場合に自動的にセルフタイマーを再開し、セルフタイマーの残り時間がなくなった際にシャッター２９を切ることができるため、ミスのないセルフタイマー撮影を行うことが可能となる。
【００２７】
本実施形態についてフローチャートを使用して説明する。図９は動き情報フラグを使用してセルフタイマー撮影を行った場合におけるフローチャートである。撮影者はセルフタイマー撮影を行うためにモニタ３に映し出される主撮影画面内に被写体をいれる（ステップ＃４１）。被写体が主撮影画面内に入ればセルフタイマーボタン８を押す（ステップ＃４２）。すると、セルフタイマーが動作し計時を始める（ステップ＃４３）。画像比較部２５で得られた動き情報フラグが０の場合（ステップ＃４４：Ｙｅｓ）、セルフタイマーの残り時間を確認する。セルフタイマーの残り時間がある場合（ステップ＃４５：Ｙｅｓ）、ステップ＃４４に戻り処理が続けられる。一方、セルフタイマーの残り時間がなくなると（ステップ＃４５：Ｎｏ）、シャッター制御部２６によりシャッター２９が切られ、主撮影画像が記録部３１に記録される（ステップ＃４６）。また、セルフタイマーの計時中に、画像比較部２５で得られた動き情報フラグが０でなくなると（ステップ＃４４：Ｎｏ）、セルフタイマーを一時停止する（ステップ＃４７）。このセルフタイマーの一時停止は、画像比較部２５で得られる動き情報フラグが２でない状態（すなわち、動き情報フラグが１の状態）が続くと（ステップ＃４８：Ｎｏ）、セルフタイマーは一時停止状態を保持することとなる。一方、セルフタイマーの一時停止中に動き情報フラグが２になると（ステップ＃４８：Ｙｅｓ）、セルフタイマーの計時が再開され（ステップ＃４９）、ステップ＃４５から処理が続けられる。したがって、撮影画面内に移動体１１が移動してきた場合にはセルフタイマーを一時停止することにより、移動体１１が撮影画像内に写らない画像を入手でき、ミスのないセルフタイマー撮影をすることが可能となる。
【００２８】
本発明の第三の実施形態
第三の実施形態として、夕暮れや夜等の光量が少ない場所での撮影や光跡を撮影する場合に使用される長時間露光撮影機能と本発明の周囲撮影画像の動き情報の検出を組み合わせた構成とすることも好適である。図１０は長時間露光撮影として所定時間内の星の光跡を撮影した例である。このような構成とすれば、図１０（ａ）のように撮影者がファインダ内に被写体である星をとらえ、長時間露光撮影を開始した後、図１０（ｂ）のように星の光跡の撮影中に移動体１１（例えば、鳥等）の周囲撮影画面内への割り込みがあれば、主撮影画面内に入る前に検知し、長時間露光撮影を一時停止することができる。そして、図１０（ｃ）のように主撮影画像内に移動体１１が入る可能性が低くなった場合に長時間露光撮影を自動的に再開することができるため、ミスのない長時間露光撮影を行うことが可能となる。
【００２９】
本実施形態についてフローチャートを使用して説明する。図１１は動き情報フラグを使用して長時間露光撮影を行った場合におけるフローチャートである。撮影者は長時間露光撮影を行うためにモニタ３に映し出される主撮影画面内に被写体をいれる（ステップ＃５１）。被写体が主撮影画面内に入れば長時間露光撮影開始ボタン９を押す（ステップ＃５２）。すると、シャッター制御部２６はシャッター２９を切り、長時間露光撮影が開始される（ステップ＃５３）。画像比較部２５で得られた動き情報フラグが０の場合（ステップ＃５４：Ｙｅｓ）、長時間露光撮影終了ボタン１０が押されていないかを確認する。長時間露光撮影終了ボタン１０が押されていない場合（ステップ＃５５：Ｎｏ）、ステップ＃５４に戻り長時間露光撮影が続けられる。一方、長時間露光撮影終了ボタン１０が押された場合（ステップ＃５６）、シャッター制御部２６によりシャッター２９が閉じられ、主撮影画像が記録部３１に記録され、長時間露光撮影が終了する（ステップ＃５６）。一方、長時間露光撮影中に、画像比較部２５で得られた動き情報フラグが０でなくなった場合（ステップ＃５４：Ｎｏ）、シャッター２９を一時的に閉じ、長時間露光撮影を一時停止する（ステップ＃５７）。この長時間露光撮影の一時停止は、画像比較部２５で得られる動き情報フラグが２でない状態（すなわち、動き情報フラグが１の状態）が続くと（ステップ＃５８：Ｎｏ）、シャッター２９は閉じられた状態で保持されることとなる。一方、長時間露光撮影の一時停止中に動き情報フラグが２になると（ステップ＃５８：Ｙｅｓ）、長時間露光撮影が再開され（ステップ＃５９）、ステップ＃５５から処理が続けられる。したがって、撮影画面方向に移動体１１が移動してきてもシャッター２９を自動的に閉じることにより、移動体１１が撮影画像内に写らない画像を入手でき、ミスのない長時間露光撮影をすることが可能となる。
【００３０】
その他の実施形態
上記の各実施形態では、カメラ付き携帯機器をデジタルカメラ１として説明したが、これに限らない。例えば、携帯電話やＰＤＡ（Personal Digital Assistants）として実施することも当然に可能である。
【００３１】
上記の各実施形態では、デジタルカメラ１が備えるファイダとして説明したが、これに限らない。例えば、専用のファインダに実施することも当然に可能である。
【００３２】
上記の各実施形態では、取り扱う画像を撮影画像として説明したが、画像は静止画像だけでなく、動画として実施することも当然に可能である。
【００３３】
上記の各実施形態では、周囲撮影画面の設定範囲を所定の範囲に固定して説明したが、撮影者の設定により、周囲撮影画面の設定範囲を変更することは当然に可能である。
【００３４】
上記の各実施形態では、主撮像部２１による画像取得と周囲撮像部２２による画像取得との切り替えは切り替え部２３により行われるとして説明したが、これに限らない。例えば、画像生成部に切り替え機能を持たせる場合や画像生成部を主撮影画面用と周囲撮影画面用とにそれぞれ備える場合には切り替え部を備えない構成とすることも当然に可能である。
【００３５】
上記の各実施形態では、主撮像部で使用される光電変換素子と周囲撮像部で使用される光電変換素子とは、１枚の光電変換素子から構成されているとして説明したが、これに限らない。主撮像部で使用される光電変換素子と周囲撮像部で使用される光電変換素子を各々分けて構成することも当然に可能である。このような構成にすることにより、高解像度撮影を行うために主撮像部の光電変換素子を高い解像度のもので構成する場合においても、周囲撮像部では低い解像度の光電変換素子を使用することができ、製造コストを低減させることが可能となる。
【００３６】
上記の各実施形態では、撮影可否を撮影可能ランプ６及び撮影不可能ランプ７で撮影者に知らせるとして説明したが、これに限らない。例えば、モニタ３に撮影可否状態を表示することにより撮影者に知らせることも当然に可能である。更には、音を鳴らすことにより撮影者に知らせることも当然に可能である。
【００３７】
第一の実施形態の改良実施形態として、ハーフシャッター時において撮影可能ランプが点灯した際にシャッターを切ることができるとして説明したが、これに限らない。撮影不可能ランプが点灯していても、シャッター切ることも当然に可能である。
【００３８】
上記の各実施形態では、移動体は周囲撮影画面内で追従するとして説明したが、これに限らない。移動体が主撮影画面に入ると、移動体の動きを追従するために主撮影画面を追従画面に切り替える構成とすることも可能である。
【図面の簡単な説明】
【００３９】
【図１】デジタルカメラの外観と撮影画面の区分けを示す図
【図２】第一実施形態に係るデジタルカメラの構成を示すブロック図
【図３】第一実施形態に係る撮影画面と移動体の関係を示す図
【図４】第一実施形態に係る動き情報の取得におけるフローチャート
【図５】第一実施形態に係る動き情報を使用した撮影におけるフローチャート
【図６】改良実施形態に係る自動シャッター撮影におけるフローチャート
【図７】改良実施形態に係るハーフシャッター撮影におけるフローチャート
【図８】第二実施形態に係るセルフタイマー撮影における被写体と移動体の関係を示す図
【図９】第二実施形態に係るセルフタイマー撮影におけるフローチャート
【図１０】第三実施形態に係る長時間露光撮影における被写体と移動体の関係を示す図
【図１１】第三実施形態に係る長時間露光撮影におけるフローチャート
【符号の説明】
【００４０】
１：デジタルカメラ
３：モニタ（ファインダ）
４：レリーズボタン
５：電源スイッチ
６：撮影可能ランプ
７：撮影不可能ランプ
８：セルフタイマーボタン
９：長時間露光撮影開始ボタン
１０：長時間露光撮影終了ボタン
１１：移動体
２１：主撮像部
２２：周囲撮像部
２３：切り替え部
２４：一時格納部
２５：画像比較部
２６：シャッター制御部
２９：シャッター
３２：光電変換部
【図１】
2008104070.tif 000003
【図２】
2008104070.tif 000004
【図３】
2008104070.tif 000005
【図４】
2008104070.tif 000006
【図５】
2008104070.tif 000007
【図６】
2008104070.tif 000008
【図７】
2008104070.tif 000009
【図８】
2008104070.tif 000010
【図９】
2008104070.tif 000011
【図１０】
2008104070.tif 000012
【図１１】
2008104070.tif 000013